(57)【要約】【課題】簡単な構造でありながら、携帯用光源装置を内視鏡に確実に着脱でき、しかも確実に装着されたか否かを目視により確認できる内視鏡と携帯用光源装置の着脱構造を得る。【解決手段】内視鏡１０に形成した係合凹部１８を有する光源接続筒状部１５と、光源接続筒状部に挿脱される発光挿入部２９を有する携帯用光源装置２０と、携帯用光源装置の外周面に回動可能として枢着されかつ接近する方向に回転付勢された回転挟持部材３３と、回転挟持部材に形成した、発光挿入部を光源接続筒状部に挿入したときに係合凹部と係脱可能な係合突起３５と、を備える。【選択図】図２
2008142145.tif 000002
【特許請求の範囲】
【請求項１】
内視鏡に形成した光源接続筒状部と、
該光源接続筒状部の外周面に凹設した環状の係合凹部と、
上記光源接続筒状部に挿脱される発光挿入部を有する携帯用光源装置と、
上記携帯用光源装置の外周面に該携帯用光源装置の中心軸線に対して接離する方向に回動可能として枢着され、かつ接近する方向に回転付勢された回転挟持部材と、
該回転挟持部材に形成した、上記発光挿入部を上記光源接続筒状部に挿入したときに上記係合凹部と係脱可能な係合突起と、
を備えることを特徴とする内視鏡と携帯用光源装置の着脱構造。
【請求項２】
請求項１記載の内視鏡と携帯用光源装置の着脱構造において、
複数の上記回転挟持部材を周方向に等角度間隔で設けた内視鏡と携帯用光源装置の着脱構造。
【請求項３】
内視鏡に形成した光源接続筒状部と、
該光源接続筒状部の外周面に凹設した係合凹部と、
上記光源接続筒状部に挿脱される発光挿入部を有する携帯用光源装置と、
上記携帯用光源装置の外周面に該携帯用光源装置の中心軸線に対して接離する方向に回動可能として枢着され、かつ接近する方向に回転付勢された回転挟持部材と、
該回転挟持部材に形成した、上記発光挿入部を上記光源接続筒状部に挿入したときに上記係合凹部と係脱可能な係合突起と、
を備えることを特徴とする内視鏡と携帯用光源装置の着脱構造。
【請求項４】
請求項３記載の内視鏡と携帯用光源装置の着脱構造において、
複数かつ互いに同数の上記回転挟持部材及び上記係合凹部を、周方向に同じ角度間隔で設けた内視鏡と携帯用光源装置の着脱構造。
【請求項５】
請求項１から４のいずれか１項記載の内視鏡と携帯用光源装置の着脱構造において、
上記回転挟持部材は、その中間部が上記携帯用光源装置に枢着されており、
該回転挟持部材の一端に上記係合突起を有し、
上記回転挟持部材の上記一端と反対側の端部に該回転挟持部材を回転操作するための被押圧部を備える内視鏡と携帯用光源装置の着脱構造。
【発明の詳細な説明】
【技術分野】
【０００１】
本発明は、内視鏡と携帯用光源装置の着脱構造に関する。
【背景技術】
【０００２】
携帯用光源装置を着脱可能な携帯型の内視鏡の従来例としては、例えば特許文献１に記載されたものがある。
この内視鏡１の操作部３の側面には雄ねじ部３ｃが設けてあり、携帯用光源装置（バッテリ型光源）５はこの雄ねじ部３ｃに螺合可能な取付けネジ２４を具備している。
従って、携帯用光源装置５の取付けネジ２４を内視鏡１の雄ねじ部３ｃに螺合すれば、携帯用光源装置５を内視鏡１に装着することができる。
【特許文献１】特許第３７０８３８７号公報
【発明の開示】
【発明が解決しようとする課題】
【０００３】
しかし、特許文献１のように携帯用光源装置５の取付けネジ２４を内視鏡１の雄ねじ部３ｃに螺合する作業及び螺合を解除する作業は決して容易ではなく、特に術者が補助者をおかずに一人で内視鏡１を操作する場合は確実に螺合及び解除を行うのが難しい。
さらに、携帯用光源装置５の取付けネジ２４と内視鏡１の雄ねじ部３ｃが確実に螺合しているか否かを目視により確認するのも容易でなかった。
【０００４】
本発明は、簡単な構造でありながら、携帯用光源装置を内視鏡に確実に着脱でき、しかも確実に装着されたか否かを目視により確認できる内視鏡と携帯用光源装置の着脱構造を提供することを目的とする。
【課題を解決するための手段】
【０００５】
本発明の内視鏡と携帯用光源装置の着脱構造は、内視鏡に形成した光源接続筒状部と、該光源接続筒状部の外周面に凹設した環状の係合凹部と、上記光源接続筒状部に挿脱される発光挿入部を有する携帯用光源装置と、上記携帯用光源装置の外周面に該携帯用光源装置の中心軸線に対して接離する方向に回動可能として枢着され、かつ接近する方向に回転付勢された回転挟持部材と、該回転挟持部材に形成した、上記発光挿入部を上記光源接続筒状部に挿入したときに上記係合凹部と係脱可能な係合突起と、を備えることを特徴としている。
【０００６】
複数の上記回転挟持部材を周方向に等角度間隔で設けるのが好ましい。
【０００７】
本発明の内視鏡と携帯用光源装置の着脱構造は別の態様によると、内視鏡に形成した光源接続筒状部と、該光源接続筒状部の外周面に凹設した係合凹部と、上記光源接続筒状部に挿脱される発光挿入部を有する携帯用光源装置と、上記携帯用光源装置の外周面に該携帯用光源装置の中心軸線に対して接離する方向に回動可能として枢着され、かつ接近する方向に回転付勢された回転挟持部材と、該回転挟持部材に形成した、上記発光挿入部を上記光源接続筒状部に挿入したときに上記係合凹部と係脱可能な係合突起と、を備えることを特徴としている。
【０００８】
複数かつ互いに同数の上記回転挟持部材及び上記係合凹部を、周方向に同じ角度間隔で設けるのが好ましい。
【０００９】
上記回転挟持部材は、その中間部が上記携帯用光源装置に枢着されており、該回転挟持部材の一端に上記係合突起を有し、上記回転挟持部材の上記一端と反対側の端部に該回転挟持部材を回転操作するための被押圧部を備えるのが好ましい。
【発明の効果】
【００１０】
請求項１記載の本発明によると、携帯用光源装置に設けた回転挟持部材をその係合突起が光源接続筒状部の係合凹部から離れる方向に回転させた状態で、内視鏡に形成した光源接続筒状部に携帯用光源装置に形成した発光挿入部を挿入し、回転挟持部材から手を離せば、回転挟持部材の係合突起が自動的に対応する係合凹部と係合する。従って、内視鏡に携帯用光源装置を簡単に取り付けることができる。
さらに、回転挟持部材の係合突起が光源接続筒状部の係合凹部に係合した状態で、回転挟持部材を回転させてその係合突起を光源接続筒状部の係合凹部から脱出させれば、発光挿入部を光源接続筒状部の軸線方向に移動させることにより、携帯用光源装置を内視鏡から簡単に取り外すことができる。
しかも、携帯用光源装置の光源接続筒状部に対する相対位置を目視により確認できるので、術者（作業者）は携帯用光源装置と内視鏡の接続状態を容易に把握することができる。
さらに、本発明の着脱構造は簡単な構造なので、低コストで実現できる。
【００１１】
請求項２または４のように構成すれば、回転挟持部材の係合突起と光源接続筒状部の係合凹部を強固に結合することが可能になる。
【００１２】
また、請求項３のように構成した場合も、各係合凹部と各係合突起の周方向位置を合わせれば、回転挟持部材の係合突起を簡単に対応する係合凹部と係脱させることができる。
【００１３】
請求項５のように構成すれば、回転挟持部材の回転操作をより簡単に行えるようになるので、内視鏡と携帯用光源装置の着脱作業をより一層容易に行えるようになる。
【発明を実施するための最良の形態】
【００１４】
以下、本発明の一実施形態について添付図面を参照しながら説明する。
図１に示すように、本実施形態の内視鏡１０は医療用の携帯型の内視鏡であり、操作者が把持する操作部１１と、操作部１１から前方に延出する可撓性のある挿入部１２と、操作部１１の後端部に連続する接眼部１３と、を備えている。挿入部１２の先端面には図示を省略した照明用レンズと対物レンズが設けてあり、操作部１１及び挿入部１２の内部にはその先端が照明用レンズに接続する導光ファイバ１４と、その先端が対物レンズに接続し後端が接眼部１３に接続するイメージガイドファイバ（図示略）が配設してある。後術するランプ２７から導光ファイバ１４に光が供給されると、この光は導光ファイバ１４及び照明用レンズを介して挿入部１２の先端面から外部に照射される。さらに、対物レンズで被写体（患者の患部等）を観察すると、この被写体像が対物レンズ及びイメージガイドファイバを介して接眼部１３に伝わるので、術者は接眼部１３を覗くことにより被写体像を観察できる。
【００１５】
図示するように操作部１１の側面には端部が開口する筒状の光源接続筒状部１５が突設してある。図２及び図３に示すように、光源接続筒状部１５の内部空間の底部には導光ファイバ１４の端部に接続する集光レンズＬ１が設けてある。
図示するように、光源接続筒状部１５の開口端部の外周部には環状の鍔部１７が突設してあり、さらに光源接続筒状部１５の外周面には光源接続筒状部１５の軸線を中心とする環状の係合凹部１８が凹設してある。
【００１６】
光源接続筒状部１５に着脱される携帯用光源装置２０は、図２及び図３に示すように中空の筒状体である。携帯用光源装置２０は大きな構成要素として基部２１と、基部２１の開口端部に着脱自在な蓋部２２と、を有している。
基部２１は、レンズ保持筒２４、中間筒部２５及び大径筒部２６という大きな３つの構成部材を備えている。レンズ保持筒２４はその内周面に３枚のレンズからなる集光レンズＬ２を保持する筒状部材である。中間筒部２５は中空の筒状部材であり、その内周面の先端部でレンズ保持筒２４を嵌合保持しており、さらにその内部空間にはランプ２７が設けてある。図示するように、中間筒部２５は基部２８と、基部２８より小径の挿入部（発光挿入部）２９と、を有している。基部２８の外径は光源接続筒状部１５の内径より大きいが、挿入部（発光挿入部）２９の外径は光源接続筒状部１５の内径より小さい。
【００１７】
さらに、基部２８の外周面に周方向に等角度間隔で凹設した一対の凹部３０には、基部２８の外周面の接線方向に延びる枢着軸３１が固定してあり、各枢着軸３１には回転挟持部材３３の内側面の中央部に形成した枢着孔３４が回転可能に嵌合している（一対の回転挟持部材３３は周方向に１８０°間隔で設けられている）。各回転挟持部材３３の内周面の先端部には係合凹部１８と係脱可能な係合突起３５が突設してあり、さらに各回転挟持部材３３の反対側の端部は曲折された被押圧部３６となっている。図示するように、各枢着軸３１にはその両端部が回転挟持部材３３と中間筒部２５の凹部３０とにそれぞれ弾性接触する捻りコイルばねＳが巻かれている。従って、各回転挟持部材３３は携帯用光源装置２０の中心軸線（図示略）に接離する方向に回動可能であり、さらに捻りコイルばねＳの付勢力によってその係合突起３５が該中心軸線に接近する方向に回転付勢されている。
大径筒部２６の内部には乾電池Ｂを収納するための電池収納空間３８が形成してあり、電池収納空間３８の一方の端部には乾電池Ｂの陰極と接触する陰極側電気接片３９が設けてある。この陰極側電気接片３９はランプ２７の陰極と電気的に接続している。
【００１８】
蓋部２２の内部には、蓋部２２を大径筒部２６に装着したときに乾電池Ｂの陽極と接触する陽極側電気接片４０が設けてある。さらに蓋部２２の内部には、陽極側電気接片４０及びランプ２７の陽極と接続する内部スイッチ４１が設けてある。この内部スイッチ４１は、そのボタン４２が一回押し込まれるごとに、ランプ２７の陽極と陽極側電気接片４０の間の電気の流れを許容するＯＮ状態と、ランプ２７の陽極と陽極側電気接片４０の間の電気の流れを遮断するＯＦＦ状態とに切り替わる。蓋部２２の開口部には、弾性変形自在なゴムからなる弾性カバー４３が嵌合固定してあり、術者がこの弾性カバー４３を指で内部スイッチ４１側に弾性変形させると、弾性カバー４３を介してボタン４２が押し込まれるようになっている。従って、術者が指で弾性カバー４３を介してボタン４２を一回押し込むごとに、内部スイッチ４１がＯＮ状態とＯＦＦ状態に切り替わる。
【００１９】
次に内視鏡１０と携帯用光源装置２０の着脱要領及び、装着時における携帯用光源装置２０の使用要領について説明する。
最初に携帯用光源装置２０の内視鏡１０への装着要領について説明する。
まず、基部２１から蓋部２２を取り外した状態で基部２１の電池収納空間３８に乾電池Ｂを収納し、その後に基部２１（大径筒部２６）に蓋部２２を接続する。図２の仮想線で示すように、一対の回転挟持部材３３は捻りコイルばねＳの回転付勢力によってその係合突起３５が中間筒部２５の外周面に当接しているので、手の指で回転挟持部材３３の被押圧部３６を押圧して一対の回転挟持部材３３を被押圧部３６が大径筒部２６の外周面に当接するまで回転させる（図２参照）。この状態で携帯用光源装置２０のレンズ保持筒２４及び中間筒部２５を光源接続筒状部１５内に挿入し、図３に示すように基部２８の端面を光源接続筒状部１５の端面に当接させる。
このように基部２８の端面が光源接続筒状部１５の端面に当接したら、一対の回転挟持部材３３から指を離す。すると、図３に示すように捻りコイルばねＳの回転付勢力によって一対の回転挟持部材３３が回転し、各係合突起３５が係合凹部１８にそれぞれ自動的に係合するので、携帯用光源装置２０が光源接続筒状部１５から抜け出すのが防止される。
この状態で、携帯用光源装置２０の弾性カバー４３を一回押し込めば、ボタン４２が押し込まれることにより内部スイッチ４１がＯＦＦ状態からＯＮ状態に切り替わるのでランプ２７が点灯する。ランプ２７で発生した光は集光レンズＬ２及び集光レンズＬ１を介して導光ファイバ１４に伝わり、内視鏡１０の挿入部１２の先端に設けた上記照明用レンズから外部に照射される。
【００２０】
次に、携帯用光源装置２０の内視鏡１０からの取り外し要領について説明する。
この場合は術者が手で一対の回転挟持部材３３の被押圧部３６を再度押圧し、回転挟持部材３３を図２の実線の位置まで回転させる。すると、各係合突起３５が係合凹部１８から脱出するので、携帯用光源装置２０を光源接続筒状部１５に対して図３の右側にスライドさせれば、携帯用光源装置２０を光源接続筒状部１５から簡単に抜き取ることができる。
【００２１】
以上説明したように本実施形態によれば、携帯用光源装置２０を光源接続筒状部１５に対して簡単に着脱できるので、仮に術者が補助者を伴わずに一人で診察を行う場合であっても、術者は携帯用光源装置２０を内視鏡１０に簡単かつ円滑に着脱できる。
しかも、術者は一対の回転挟持部材３３の係合突起３５が係合凹部１８に嵌合しているか否かを目視により確認できるので、術者は携帯用光源装置２０と内視鏡１０の接続状態を容易に把握することができる。
さらに、本発明の内視鏡１０と携帯用光源装置２０の取付構造は簡単な構造なので、低コストで実現することができる。
【００２２】
さらに、一対の回転挟持部材３３を周方向に等角度（１８０°）間隔で設けたので、係合突起３５が係合凹部１８に係合すると光源接続筒状部１５は一対の回転挟持部材３３によって反対方向から挟持されることになる。そのため、回転挟持部材３３による光源接続筒状部１５の保持状態は安定する。
しかも、回転挟持部材３３の係合突起３５が係合凹部１８に弾性的に係合するので、携帯用光源装置２０と光源接続筒状部１５のがたつきが防止される。
さらに、係合凹部１８は光源接続筒状部１５の全周に渡って形成された凹部なので、携帯用光源装置２０と光源接続筒状部１５の相対回転位置がどのような位置であっても、一対の回転挟持部材３３の係合突起３５を係合凹部１８に確実に係合させることができる。
また、回転挟持部材３３に被押圧部３６を形成したので回転挟持部材３３の回転操作は容易である。
【００２３】
以上、上記実施形態を利用して本発明を説明したが、本発明は上記実施形態に限定されるものではなく、様々な変更を施しながら実施可能である。
例えば、光源接続筒状部１５に環状の係合凹部１８を設ける代わりに、光源接続筒状部１５に周方向に等角度間隔で一対の非連続の係合凹部（図示略）を凹設し、各係合凹部に一対の回転挟持部材３３の係合突起３５をそれぞれ係脱させてもよい。
さらに、光源接続筒状部１５に環状の係合凹部１８を設ける場合も互いに非連続の係合凹部を形成する場合も、回転挟持部材３３の数は２つでなく、一つ（この場合、非連続の係合凹部は一つでよい）、あるいは３つ以上の複数であってもよい。回転挟持部材３３を３つ以上設ける場合の各回転挟持部材３３の取付位置（さらに、光源接続筒状部１５に非連続の係合凹部を回転挟持部材３３と同数形成する場合は各係合凹部の形成位置も）は周方向に等角度間隔であることが望ましい。
さらに、本実施形態の内視鏡１０は医療用の内視鏡であるが、工業用の内視鏡等、用途の異なる内視鏡に適用できるのは勿論である。
【図面の簡単な説明】
【００２４】
【図１】本発明の一実施形態の内視鏡の全体図である。
【図２】光源接続筒状部から携帯用光源装置を取り外したときの横断平面図である。
【図３】光源接続筒状部に携帯用光源装置を装着したときの横断平面図である。
【符号の説明】
【００２５】
１０    内視鏡
１１    操作部
１２    挿入部
１３    接眼部
１４    導光ファイバ
１５    光源接続筒状部
１７    鍔部
１８    係合凹部
２０    携帯用光源装置
２１    基部
２２    蓋部
２４    レンズ保持筒
２５    中間筒部
２６    大径筒部
２７    ランプ
２８    基部
２９    挿入部（発光挿入部）
３０    凹部
３１    枢着軸
３３    回転挟持部材
３４    枢着孔
３５    係合突起
３６    被押圧部
３８    電池収納空間
３９    陰極側電気接片
４０    陽極側電気接片
４１    内部スイッチ
４２    ボタン
４３    弾性カバー
Ｂ      乾電池
Ｌ１    集光レンズ
Ｌ２    集光レンズ
Ｓ    捻りコイルばね
【図１】
2008142145.tif 000003
【図２】
2008142145.tif 000004
【図３】
2008142145.tif 000005